(57)【要約】【課題】簡単に文字を入力することができる携帯電話機及び文字入力方法の提供。【解決手段】１つの文字入力キーを含む操作部と、入力する文字を表示する表示部と、を少なくとも備える携帯電話機において、前記文字入力キーの押下／解放を検知して当該文字入力キーの押下時間を取得し、前記押下時間と予め定めた時間との比較結果に基づいて、かな文字の行及び行に属する文字を順に遷移させて前記表示部に表示させる制御部を備え、前記押下時間が予め定めた第１の時間未満の場合は、かな文字の行を順に遷移させて前記表示部に表示させ、押下された状態が前記第１の時間継続した段階で行を決定し、更に、押下された状態が予め定めた第２の時間を経過する毎に、決定した行に属する文字を順に遷移させて前記表示部に表示させ、前記文字入力キーが解放された段階で表示されている文字を入力文字として決定する。【選択図】図３
2010211545.tif 000002
【特許請求の範囲】
【請求項１】
１つの文字入力キーを含む操作部と、入力する文字を表示する表示部と、を少なくとも備える携帯電話機において、
前記文字入力キーの押下／解放を検知して当該文字入力キーの押下時間を取得し、前記押下時間と予め定めた時間との比較結果に基づいて、かな文字の行及び行に属する文字を順に遷移させて前記表示部に表示させる制御部を備えることを特徴とする携帯電話機。
【請求項２】
前記制御部は、前記押下時間が予め定めた第１の時間未満の場合は、かな文字の行を順に遷移させて前記表示部に表示させ、押下された状態が前記第１の時間継続した段階で行を決定し、更に、押下された状態が予め定めた第２の時間を経過する毎に、決定した行に属する文字を順に遷移させて前記表示部に表示させ、前記文字入力キーが解放された段階で表示されている文字を入力文字として決定することを特徴とする請求項１に記載の携帯電話機。
【請求項３】
前記制御部は、前記押下時間が予め定めた第１の時間未満又は以上の一方の場合は、かな文字の行を順に遷移させて前記表示部に表示させ、前記押下時間が前記第１の時間未満又は以上の他方の場合は、表示されている行に属する文字を順に遷移させて前記表示部に表示させ、前記文字入力キーが解放された状態が予め定めた第２の時間経過した段階で表示されている文字を入力文字として決定することを特徴とする請求項１に記載の携帯電話機。
【請求項４】
１つの文字入力キーを含む操作部と、入力する文字を表示する表示部と、を少なくとも備える携帯電話機における文字入力方法であって、
前記文字入力キーの押下／解放を検知して当該文字入力キーの押下時間を取得する第１のステップと、
前記押下時間と予め定めた時間との比較結果に基づいて、かな文字の行及び行に属する文字を順に遷移させて前記表示部に表示させる第２のステップと、を少なくとも有することを特徴とする文字入力方法。
【請求項５】
前記第２のステップでは、前記押下時間が予め定めた第１の時間未満の場合は、かな文字の行を順に遷移させて前記表示部に表示させ、押下された状態が前記第１の時間継続した段階で行を決定し、更に、押下された状態が予め定めた第２の時間を経過する毎に、決定した行に属する文字を順に遷移させて前記表示部に表示させ、前記文字入力キーが解放された段階で表示されている文字を入力文字として決定することを特徴とする請求項４に記載の文字入力方法。
【請求項６】
前記第２のステップでは、前記押下時間が予め定めた第１の時間未満又は以上の一方の場合は、かな文字の行を順に遷移させて前記表示部に表示させ、前記押下時間が前記第１の時間未満又は以上の他方の場合は、表示されている行に属する文字を順に遷移させて前記表示部に表示させ、前記文字入力キーが解放された状態が予め定めた第２の時間経過した段階で表示されている文字を入力文字として決定することを特徴とする請求項４に記載の文字入力方法。
【発明の詳細な説明】
【技術分野】
【０００１】
本発明は、携帯電話機及び当該携帯電話機を用いた文字入力方法に関する。
【背景技術】
【０００２】
近年、携帯電話機が普及しており、電子メールで情報交換を行うユーザが増えている。携帯電話機では、サイズの制限により操作部に多数のキーを配列することができないことから、通常、十数個のキーを配列し、各々のキーを繰り返し押下することにより異なる文字が表示されるようになっている。例えば、かな文字入力では「１」のキーを繰り返し押下することにより「あ」→「い」→…→「お」が順に表示され、それらのキーをユーザが巧みに操作することによって所望の文字を入力している。
【０００３】
しかしながら、携帯電話機の操作に不慣れなユーザにとってはこの操作は煩雑であり、また、所望の文字を表示させるために時間を要することから、文字入力を容易にする様々な手法が提案されている。
【０００４】
例えば、下記特許文献１には、仮名文字入力時に母音を示す情報を順番に繰り返し出力する母音出力手段と、押下されたダイアルキーと、押下されたダイアルキーが解放された時の母音出力手段が出力した母音を示す情報との対応関係に基づいて、入力文字を判定する入力文字判定手段とを備えた携帯電話機が開示されている。
【先行技術文献】
【特許文献】
【０００５】
【特許文献１】特開２００６−２３８１７１号公報
【発明の概要】
【発明が解決しようとする課題】
【０００６】
上記特許文献１の方法では、あるキーを押下し続けると、そのキーに対応する行のかな文字が順に表示され、キーを解放すると文字を決定することができるため、キーの操作回数を減らすことはできる。
【０００７】
しかしながら、この方法でも、結局キーの数は「あ」行、「か」行、「さ」行というように行の数の分だけ必要であり、ユーザは手の移動を行わなければならず、文字入力の簡単化という観点では面倒さは残る。また、キーの数が多いため、ユーザの目は携帯電話機の画面とキーのボタンとを行き来して文字が正しく入力されたか確認する動作が必要であり、この点に関しても煩わしさは残る。
【０００８】
本発明は上記問題点に鑑みてなされたものであって、その主たる目的は、簡単に文字を入力することができる携帯電話機及び文字入力方法を提案することにある。
【課題を解決するための手段】
【０００９】
上記目的を達成するため、本発明は、１つの文字入力キーを含む操作部と、入力する文字を表示する表示部と、を少なくとも備える携帯電話機において、前記文字入力キーの押下／解放を検知して当該文字入力キーの押下時間を取得し、前記押下時間と予め定めた時間との比較結果に基づいて、かな文字の行及び行に属する文字を順に遷移させて前記表示部に表示させる制御部を備えるものである。
【発明の効果】
【００１０】
本発明の携帯電話機及び文字入力方法によれば、簡単に文字を入力することができる。
【００１１】
その理由は、携帯電話機の操作部に１つの文字入力キーを設け、制御部に、文字入力キーの押下／解放を検知し、キーの押下時間を取得する機能と、押下時間と予め定めた一定時間との比較結果に基づいて、行の遷移及びその行に属する文字の遷移を制御する機能と、を持たせることにより、１つの文字入力キーで全てのかな文字の入力操作が可能になり、手の移動や目線の移動が不要になるからである。
【図面の簡単な説明】
【００１２】
【図１】本発明の第１の実施例に係る携帯電話機の構成例を示すブロック図である。
【図２】本発明の第１の実施例に係る携帯電話機の動作手順を示すフローチャート図である。
【図３】本発明の第１の実施例に係る携帯電話機を用いた文字入力例を示す図である。
【図４】本発明の第２の実施例に係る携帯電話機の動作手順を示すフローチャート図である。
【発明を実施するための形態】
【００１３】
背景技術で示したように、現在の携帯電話機の操作部は多数のキーが配列された構造であるため、文字を入力する場合に、ユーザは操作部を見てキーを選択し、表示画面を見ながら選択したキーを何度か押下して所定の文字を表示させる必要があり、文字入力操作が煩雑になるという問題があった。この問題に対して、キーの押下時間に応じて母音を遷移させる方法もあるが、この方法でも、文字入力キーの数が多いため、ユーザは手や目線を移動させなければならず、簡単に文字入力を行うことができない。
【００１４】
そこで、本発明では、文字入力用のキーが用意されている携帯電話機において、１つのキーにて全てのかな文字を入力できるようにする。具体的には、制御部に、キーの押下／解放を検知してキーの押下時間を取得する機能と、キーの押下時間と予め定めた一定時間との比較結果に基づいて行の遷移及びその行に属する文字の遷移を制御する機能と、を設ける。
【００１５】
文字入力方法としては、例えば、１つの文字入力キーの押下／解放を一定時間ｔ未満で繰り返すことにより「あ」→「か」→「さ」→…のように行を順に遷移させる。所望の行が表示された際に文字入力キーを一定時間τ以上押し続けることにより、「あ」→「い」→「う」→「え」→「お」→「あ」→…のようにその行に属する文字を順に遷移させる。そして、所望の文字が表示された時点で文字入力キーを解放することにより、文字を決定する。
【００１６】
これにより、文字入力の際に手や目線を移動させる必要がなく、携帯電話機の画面のみを見ながら文字を入力することができるため、文字入力の操作性を格段に向上させることができ、利便性の向上、ユーザの負担軽減を図ることができる。また、文字入力のためのキーの数を減らすことにより、携帯電話機の小型化を実現することもできる。
【実施例１】
【００１７】
上記した本発明の実施の形態についてさらに詳細に説明すべく、本発明の第１の実施例に係る携帯電話機及び文字入力方法について、図１乃至図３を参照して説明する。図１は、本実施例の携帯電話機の構成を示すブロック図であり、図２は、本実施例の携帯電話機の動作手順を示すフローチャート図である。また、図３は、本実施例の携帯電話機を用いた文字入力例を示す図である。
【００１８】
図１に示すように、本実施例の携帯電話機１０は、制御部１１、無線通信部１２、音声処理部１３、表示部１４、操作部１５などを備えている。
【００１９】
制御部１１は、ＣＰＵ（Central Processing Unit）と、ＲＯＭ（Read Only Memory）やＲＡＭ（Random Access Memory）などのメモリとで構成される。ＣＰＵは、電話機能、電子メール機能、インターネット（ｗｅｂ）接続機能、コンテンツ再生機能、その他の携帯電話機が有する機能の実行や各部の制御を行う。メモリは、種々のデータ（例えば、文字入力の判定の基準となる時間や各種設定情報など）やプログラム（例えば、後述する制御プログラムやアプリケーションなど）を記憶する部分であり、記憶されたデータやプログラムはＣＰＵによって処理される。
【００２０】
また、制御部３１は、操作部１５の特定のキー（文字入力キー）から出力される信号を受信して文字入力キーの押下／解放（キーが押されていない状態）を検知し、文字入力キーが押下されてから解放されるまでの時間（押下時間）を取得する機能と、取得した文字入力キーの押下時間を予めメモリに記憶した時間（一定時間ｔ及び一定時間τ）とを比較し、押下時間が一定時間ｔ未満の場合にかな文字の行を「あ」→「か」→…のように順に遷移させ、押下している状態が一定時間ｔ経過した段階で行を決定し、更に押下している状態が一定時間τ経過する毎にその行に属する文字を「あ」→「い」→…のように順に遷移させる機能と、を備える入力文字判定部としても機能する。この入力文字判定部はハードウェアとして構成してもよいし、コンピュータを入力文字判定部として機能させる制御プログラムとして構成し、当該制御プログラムを制御部１１上で動作させる構成としてもよい。
【００２１】
無線通信部１２は、アンテナを介して無線基地局装置との間で無線により情報の送受を行う。
【００２２】
音声処理部１３は、送話部（マイク１３ｂ）および受話部（スピーカ１３ａ）を介して入出力された音声信号の処理を行う。
【００２３】
表示部１４は、液晶表示装置（ＬＣＤ：Liquid Crystal Display）や有機ＥＬ（electroluminescence）表示装置等からなり、文字や画像などの情報を表示する。
【００２４】
操作部１５は、少なくとも１つの文字入力キーと、十字キーや特殊キーなどの他のキーとで構成され、キーの押下／解放に応じて制御部１１に信号を送出する。
【００２５】
なお、図１は、本実施例の携帯電話機１０の基本構成であり、例えば、放送受信機能やカメラ機能、非接触ＩＣ機能などを備えていてもよい。また、本実施例の操作部１５のキーの配置や大きさ、形状は任意であり、上記文字入力キーは、本実施例の文字入力にのみ使用する専用キーとしてもよいし、他のキー（例えば、「０」〜「９」、「＊」、「＃」の中のいずれかのキー）と兼用してもよい。
【００２６】
以下、上記構成の携帯電話機１０の動作について、図２のフローチャート図を参照して説明する。
【００２７】
まず、制御部１１（入力文字判定部）は、文字入力キーの押下を監視し、当該キーの押下を検知したら押下時間の計測を開始し（Ｓ１０１）、現在表示されている文字の次の行の文字（表示がない場合は「あ」）を表示部１４に表示させる（Ｓ１０２）。
【００２８】
次に、制御部１１（入力文字判定部）は、計測開始から予め定めた一定時間ｔ未満に文字入力キーが解放されたかを判断し（Ｓ１０３）、解放されていない場合は、計測開始から一定時間ｔ後に文字入力キーが押下されたままであるかを判断する（Ｓ１０４）。
【００２９】
計測開始から一定時間ｔ未満に文字入力キーが解放された場合（Ｓ１０３のＹｅｓ）、又は、計測開始から一定時間ｔ後に文字入力キーが押下されたままでない場合（Ｓ１０４のＮｏ）は、ユーザは表示部１４に表示されている文字を入力文字として決定するかを判断し（Ｓ１１０）、入力文字としない場合は、制御部１１（入力文字判定部）はステップＳ１０１以降の動作を繰り返す。
【００３０】
一方、計測開始から一定時間ｔ後に文字入力キーが押下されたままである場合（Ｓ１０４のＹｅｓ）は、制御部１１（入力文字判定部）は、現在表示している行を入力する行として決定する（Ｓ１０５）。
【００３１】
次に、制御部１１（入力文字判定部）は、計測開始から予め定めた一定時間τ以内に文字入力キーが解放されたかを判断し（Ｓ１０６）、解放されていない場合は、計測開始から一定時間τ後に文字入力キーが押下されたままであるかを判断する（Ｓ１０７）。
【００３２】
計測開始から一定時間τ以内に文字入力キーが解放された場合（Ｓ１０６のＹｅｓ）、又は計測開始から一定時間τ後に文字入力キーが押下されたままでない場合（Ｓ１０７のＮｏ）は、制御部１１（入力文字判定部）は、現在表示している文字を入力する文字として決定する（Ｓ１１１）。
【００３３】
一方、計測開始から一定時間τ後に文字入力キーが押下されたままである場合（Ｓ１０７のＹｅｓ）は、制御部１１（入力文字判定部）は、現在表示されている文字の次の文字を表示部１４に表示させる。
【００３４】
そして、制御部１１（入力文字判定部）は、τの時間をリセットした後（Ｓ１０９）、Ｓ１０６に戻って、リセットした時から経過時間に基づいて同様の処理を繰り返す。
【００３５】
上記制御を図３の文字入力例を参照して説明すると、一定時間ｔ未満で文字入力キーの押下／解放が繰り返された場合は、「あ」→「か」→「さ」→「た」→「な」→…のように、かな文字の行を遷移させ、一定時間ｔ以上押された場合に行を決定し、更に一定時間τ以上押下された場合、一定時間τ毎に「あ」→「い」→「う」→「え」→…のようにその行に属する文字を遷移させていく。
【００３６】
例えば、「す」の文字を入力する場合を説明する。
【００３７】
まず、文字入力キーの押下し、一定時間ｔ未満で解放する動作を２回繰り返す。次に、文字入力キーを一定時間ｔ以上押し続けて行を決定させる。携帯電話機１０の表示部１４には「あ」→「か」→「さ」と表示される。
【００３８】
次に、「さ」が表示されている状態で文字入力キーを押し続けると、一定時間τ経過後に表示部１４の文字が「さ」から「し」に遷移し、更に一定時間τ経過後に表示部１４の文字が「し」から「す」に遷移する。
【００３９】
そして、「す」の文字が表示されているときに文字入力キーを解放すると、入力文字が「す」に決定される。
【００４０】
なお、上記説明では、かな文字の行を決定した後、その行に属する文字を決定したが、順番を逆にして、文字（母音）を決定した後、行を決定する構成とすることもできる。また、一定時間ｔと一定時間τは任意に設定可能であるが、一定時間ｔ＞一定時間τとすれば、誤入力を少なくし、かつ、すばやく文字を入力できるようになる。
【００４１】
このように、文字入力キーの押下時間を一定時間ｔ未満で繰り返し、繰り返し動作に応じて行を遷移させ、行を決定した後、文字入力キーの押下したままとし、押下時間に応じて文字を遷移させることにより、１つの文字入力キーで任意の文字を入力することができ、文字入力の操作性を向上させることができる。
【実施例２】
【００４２】
次に、本発明の第２の実施例に係る携帯電話機及び文字入力方法について、図４を参照して説明する。図４は、本実施例の携帯電話機の動作手順を示すフローチャート図である。なお、携帯電話機１０の構成は第１の実施例と同様であるため、説明は省略する。
【００４３】
前記した第１の実施例では、文字入力キーの押下／解放の繰り返しにより文字の行を遷移させ、行の決定後、押下時間によりその行に属する文字を遷移させる構成としたが、文字入力キーの押下／解放の繰り返しのみの動作で文字の行の遷移とその行に属する文字の遷移とを同列で処理することも可能である。その場合の携帯電話機１０の動作について、図４のフローチャート図を参照して説明する。
【００４４】
まず、制御部１１（入力文字判定部）は、文字入力キーの押下を監視し（Ｓ２０１）、当該キーの押下を検知したら押下時間の計測を開始する（Ｓ２０２）。その後、文字入力キーの解放を監視し（Ｓ２０３）、当該キーの解放を検知したら押下時間の計測を終了する（Ｓ２０４）。
【００４５】
次に、制御部１１（入力文字判定部）は、押下時間が予め定めた一定時間ｔ未満であるかを判断し（Ｓ２０５）、一定時間ｔ未満であれば次の行を表示し（Ｓ２０６）、一定時間ｔ以上であれば次の文字を表示する（Ｓ２０７）。なお、次の行の表示と次の文字の表示は逆にしてもよい。
【００４６】
次に、制御部１１（入力文字判定部）は、文字入力キーが解放されてからの経過時間の計測を開始し（Ｓ２０８）、予め定めた一定時間以上経過したら（Ｓ２０９のＹｅｓ）、現在表示している文字を入力する文字として決定する（Ｓ２１０）。一方、一定時間経過前に文字入力キーが押下された場合は、ステップＳ２０１に戻って同様の処理を繰り返す。
【００４７】
すなわち、文字入力キーの押下時間が一定時間ｔ未満（又は一定時間ｔ以上）の場合は、「あ」→「か」→「さ」→「た」→「な」→…のように、かな文字の行を遷移させ、一定時間ｔ以上（又は一定時間ｔ未満）の場合、「あ」→「い」→「う」→「え」→…のように文字を遷移させていく。
【００４８】
例えば、「す」の文字を入力する場合を説明する。
【００４９】
まず、文字入力キーの押下／解放を一定時間ｔ未満の間隔で３回繰り返して行を遷移させる。携帯電話機１０の表示部１４には「あ」→「か」→「さ」と表示される。次に、「さ」が表示されている状態で、文字入力キーの押下／解放を一定時間ｔ以上の間隔で２回繰り返して文字を遷移させる。携帯電話機１０の表示部１４には「さ」→「し」→「す」と表示される。
【００５０】
また、本実施例の場合は行の遷移と文字の遷移を混在させることができるため、例えば、押下／解放を一定時間ｔ未満の間隔で２回繰り返して行を遷移させ（表示部１４は「あ」→「か」）、次に、押下／解放を一定時間ｔ以上の間隔で２回繰り返して文字を遷移させ（表示部１４は「か」→「き」→「く」）、更に、押下／解放を一定時間ｔ未満の間隔で１回行って行を遷移させる（表示部１４は「く」→「す」）こともできる。
【００５１】
そして、「す」の文字が表示されているときに一定時間放置すると、入力文字が「す」に決定される。
【００５２】
このように、文字入力キーの押下時間に応じて行の遷移と文字の遷移を区別して実行することによっても、１つの文字入力キーの操作で任意の文字を入力することができ、文字入力時の操作性を向上させることができる。
【００５３】
なお、一定時間ｔ未満のボタン押下間隔で移動する文字の行を増やすことによって濁点、促音などの文字も入力可能となる。
【００５４】
また、上記各実施例では、かな文字の入力方法について記載したが、アルファベットなどの他の種類の文字であっても、所定の単位（例えば３文字）でグループ化すれば、かな文字以外と同様に処理することができる。
【００５５】
また、上記各実施例では、本発明の文字入力方法を携帯電話機で実行する場合について記載したが、本発明は上記実施例に限定されるものではなく、ＰＨＳ（Personal Handyphone System）、ＰＤＡ（Personal Digital Assistance）のような携帯端末など、文字入力機能を備えた任意の機器に対して同様に適用することができる。
【産業上の利用可能性】
【００５６】
本発明は、文字入力機能を備えた任意の機器、例えば、携帯電話機に利用可能である。
【符号の説明】
【００５７】
１０  携帯電話機
１１  制御部
１２  無線通信部
１３  音声処理部
１３ａ  スピーカ
１３ｂ  マイク
１４  表示部
１５  操作部
【図１】
2010211545.tif 000003
【図２】
2010211545.tif 000004
【図３】
2010211545.tif 000005
【図４】
2010211545.tif 000006